【手続補正書】
【提出日】平成26年12月1日(2014.12.1)
【手続補正１】
【補正対象書類名】明細書
【補正対象項目名】０１９６
【補正方法】変更
【補正の内容】
【０１９６】
本明細書に引用したすべての参照文献及び刊行物は、本開示と直接矛盾しうる場合を除いて、それらの全容を本開示に明確に援用するものである。本開示の例示的実施形態を検討すると共に本開示の範囲内の可能な変形例を参照してきた。本開示のこれらの及び他の変形例及び変更例は開示の範囲から逸脱することなく当業者には明らかであろうとともに、本開示は本明細書に記載された例示的実施形態に限定されないことは理解されよう。したがって本開示は、冒頭に提示した特許請求の範囲によってのみ限定される。本発明の実施態様の一部を以下の項目［１］−［１８］に記載する。
[１]
照明アセンブリであって、
出光面及び実質的に前記出光面に直交する光ガイドの少なくとも１つの縁部に沿った入光面を含む光ガイドであって、前記入光面がｙ軸に沿って延在する、光ガイドと、
実質的に前記ｙ軸に平行である軸に沿って配置された複数の光源であって、前記光源が、光が前記入光面を通過して前記光ガイドに入るように機能し、前記光源が、ｙ軸に沿って少なくとも１５ｍｍの中心間距離を有し、更に前記複数の光源の少なくとも１つの光源の主要発光面と前記入光面との間の距離が１ｍｍ以下である、複数の光源と、
前記複数の光源と前記光ガイドの入光面との間に位置付けられ、基材及び前記複数の光源に対向する前記基材の第１の表面上の複数の構造体とを含む、構造化面層と、
前記光ガイドからの光が前記出光面を通過するように機能する複数の抽出機構であって、１つ以上の前記抽出機構が前記複数の光源の１０ｍｍ以内に位置付けられる、複数の抽出機構と、を含み、
前記複数の光源及び前記構造化面層が、前記光ガイドの平面において前記入光面の法線に対して少なくとも４５度の角度で、光の少なくとも一部が前記入光面を通過して前記光ガイドに入るように機能する、照明アセンブリ。
[２]
前記構造化面層の複数の構造体の屈折率ｎ１が前記光ガイドの屈折率ｎ２とは異なる、項目１に記載のアセンブリ。
[３]
│ｎ１−ｎ２│が少なくとも０．０１である、項目２に記載のアセンブリ。
[４]
ｎ１がｎ２よりも大きい、項目２に記載のアセンブリ。
[５]
前記構造化面層の複数の構造体が屈折構造体を含む、項目１に記載のアセンブリ。
[６]
前記構造化面層の複数の構造体が回折構造体を含む、項目１に記載のアセンブリ。
[７]
項目１に記載の照明アセンブリを含むバックライト。
[８]
項目１に記載の照明アセンブリを含む表示パネル。
[９]
項目１に記載の照明アセンブリを含む照明装置。
[１０]
表示パネル及び項目１に記載の照明アセンブリを含む表示システム。
[１１]
前記光ガイドの厚さ方向ｚに沿って前記入光面に平行であり、前記入光面から前記光ガイド内部に約１０ｍｍである平面上の配光が、８０％を超える均一性（（Ｌｍｉｎ／Ｌｍａｘ）×１００％）を有する、項目１に記載のアセンブリ。
[１２]
前記複数の光源の少なくとも１つの光源の主要発光面からの距離が、前記複数の光源の隣接する光源の主要発光面から少なくとも１５ｍｍである、項目１に記載のアセンブリ。
[１３]
前記複数の光源の少なくとも１つの光源の主要発光面からの距離が、前記複数の光源の隣接する光源の主要発光面から少なくとも１８ｍｍである、項目１に記載のアセンブリ。
[１４]
前記光源がｙ軸に沿って少なくとも２０ｍｍの中心間距離を有する、項目１に記載のアセンブリ。
[１５]
前記アセンブリの周囲に配置されたベゼルを更に含み、前記複数の光源の少なくとも１つの光源の主要放射面が、前記入光面の法線に沿って前記光ガイドの出光面に最も近い前記ベゼルの縁部の１５ｍｍ以内に位置付けられている、項目１に記載のアセンブリ。
[１６]
照明アセンブリであって、
出光面及び実質的に前記出光面に直交する光ガイドの少なくとも１つの縁部に沿った入光面を含む光ガイドと、
光が前記入光面を通過して前記光ガイドに入るように位置付けられた複数の光源と、
前記複数の光源と前記光ガイドの入光面との間に位置付けられて、基材及び前記複数の光源に対向する前記基材の第１の表面上の複数の構造体を含む、構造化面層と、を含み、
前記複数の構造体の少なくとも１つが２個の端点（ｘ０，ｙ０）及び（ｘ３，ｙ３）並びに２個の制御点（ｘ１，ｙ１）及び（ｘ２，ｙ２）を有する３次ベジエ曲線によって画定される形状を有し、前記曲線が
ｘ（ｔ）＝ａｘｔ３＋ｂｘｔ２＋ｃｘｔ＋ｘ０、ｙ（ｔ）＝ａｙｔ３＋ｂｙｔ２＋ｃｙｔ＋ｙ０（ｔ∈［０  １］の場合）
（式中、
ｃｘ＝３（ｘ１−ｘ０）
ｂｘ＝３（ｘ２−ｘ１）−ｃｘ
ａｘ＝ｘ３−ｘ０−ｃｘ−ｂｘ
ｃｙ＝３（ｙ１−ｙ０）
ｂｙ＝３（ｙ２−ｙ１）−ｃｙ
ａｙ＝ｙ３−ｙ０−ｃｙ−ｂｙ
である）の２個の端点を結ぶ、照明アセンブリ。
[１７]
ｙ０が０．７５より大きく１．２５未満の範囲であり、ｘ１が０．１より大きく０．６未満の範囲であり、ｘ２が０．１より大きく０．６未満の範囲であり、ｙ２が０．５より大きく１．０未満の範囲である、項目１６に記載のアセンブリ。
[１８]
前記構造化面層の複数の構造体の少なくとも１つが、１０度未満の面法線に対して５０％未満、７０度超の面法線に対して１５％未満、１５度超かつ６５度未満の面法線に対して４０％超の、面法線確率分布を有する、項目１６に記載のアセンブリ。
【手続補正２】
【補正対象書類名】特許請求の範囲
【補正対象項目名】全文
【補正方法】変更
【補正の内容】
【特許請求の範囲】
【請求項１】
照明アセンブリであって、
出光面及び実質的に前記出光面に直交する光ガイドの少なくとも１つの縁部に沿った入光面を含む光ガイドであって、前記入光面がｙ軸に沿って延在する、光ガイドと、
実質的に前記ｙ軸に平行である軸に沿って配置された複数の光源であって、前記光源が、光が前記入光面を通過して前記光ガイドに入るように機能し、前記光源が、ｙ軸に沿って少なくとも１５ｍｍの中心間距離を有し、更に前記複数の光源の少なくとも１つの光源の主要発光面と前記入光面との間の距離が１ｍｍ以下である、複数の光源と、
前記複数の光源と前記光ガイドの入光面との間に位置付けられ、基材及び前記複数の光源に対向する前記基材の第１の表面上の複数の構造体とを含む、構造化面層と、
前記光ガイドからの光が前記出光面を通過するように機能する複数の抽出機構であって、１つ以上の前記抽出機構が前記複数の光源の１０ｍｍ以内に位置付けられる、複数の抽出機構と、を含み、
前記複数の光源及び前記構造化面層が、前記光ガイドの平面において前記入光面の法線に対して少なくとも４５度の角度で、光の少なくとも一部が前記入光面を通過して前記光ガイドに入るように機能する、照明アセンブリ。
【請求項２】
照明アセンブリであって、
出光面及び実質的に前記出光面に直交する光ガイドの少なくとも１つの縁部に沿った入光面を含む光ガイドと、
光が前記入光面を通過して前記光ガイドに入るように位置付けられた複数の光源と、
前記複数の光源と前記光ガイドの入光面との間に位置付けられて、基材及び前記複数の光源に対向する前記基材の第１の表面上の複数の構造体を含む、構造化面層と、を含み、
前記複数の構造体の少なくとも１つが２個の端点（ｘ０，ｙ０）及び（ｘ３，ｙ３）並びに２個の制御点（ｘ１，ｙ１）及び（ｘ２，ｙ２）を有する３次ベジエ曲線によって画定される形状を有し、前記曲線が
ｘ（ｔ）＝ａｘｔ３＋ｂｘｔ２＋ｃｘｔ＋ｘ０、ｙ（ｔ）＝ａｙｔ３＋ｂｙｔ２＋ｃｙｔ＋ｙ０（ｔ∈［０  １］の場合）
（式中、
ｃｘ＝３（ｘ１−ｘ０）
ｂｘ＝３（ｘ２−ｘ１）−ｃｘ
ａｘ＝ｘ３−ｘ０−ｃｘ−ｂｘ
ｃｙ＝３（ｙ１−ｙ０）
ｂｙ＝３（ｙ２−ｙ１）−ｃｙ
ａｙ＝ｙ３−ｙ０−ｃｙ−ｂｙ
である）の２個の端点を結ぶ、照明アセンブリ。